(57)【要約】【課題】着脱可能な外装パネルを備えた温水ボイラ等の外装体の外装構造において、前記外装パネルの着脱作業を容易し、サービス性の向上を図る。【解決手段】底板２を有する箱状の外装体１の一側面を開口部１５とし、この開口部１５を覆うように着脱可能に設けられた外装パネル３を備えた外装構造において、前記底板２上に外装パネル取付用の固定金具２４を設け、この固定金具２４は底板２に固定される下固定部２６と、前記外装体１の側板４Ａ、４Ｂに掛止される掛止手段と、上部に外装パネル３を固定するためのパネル取付部２８ａ、２８ｂとを備えている【選択図】　　　図３
2004069243.tif 000002
【特許請求の範囲】
【請求項１】
底板を有する箱状の外装体の一側面を開口部とし、この開口部を覆うように着脱可能に設けられた外装パネルを備えた外装構造において、
前記底板上に外装パネル取付用の固定金具を設け、この固定金具は底板に固定される下固定部と、前記外装体の側板に掛止される掛止手段と、上部に外装パネルを固定するためのパネル取付部とを備えていることを特徴とする外装構造。
【請求項２】
前記固定金具の掛止手段は左右両端に突出する突起片を有してこの突起片が前記外装体の側板に設けられた角孔に挿入され、前記固定金具の下固定部はねじ孔を有して前記底板上に設けられたねじ孔に固定されることを特徴とする請求項１に記載の外装構造。
【請求項３】
熱交換器、バーナ、リザーブタンク等を内蔵し、底板を有する箱状の外装体の一側面を開口部とし、この開口部を覆うように着脱可能に設けられた外装パネルを備えた温水ボイラにおいて、
前記底板上に外装パネル取付用の固定金具を設け、この固定金具は底板に固定される下固定部と、前記外装体の側板に掛止される掛止手段と、上部に外装パネルを固定するためのパネル取付部とを備えていることを特徴とする温水ボイラ。
【請求項４】
前記固定金具の掛止手段は左右両端に突出する突起片を有してこの突起片が前記外装体の側板に設けられた角孔に挿入され、前記固定金具の下固定部はねじ孔を有して前記底板上に設けられたねじ孔に固定されることを特徴とする請求項３に記載の温水ボイラ。
【発明の詳細な説明】
【０００１】
【発明の属する技術分野】
本発明は、温水ボイラの外装構造に関し、特に底板を含む外装体に関する。
【０００２】
【従来の技術】
従来一般の温水ボイラは、例えば、特開平１０ー３００２３９号公報に開示されているように、熱交換器と、この熱交換器を加熱するバーナと、この熱交換器で熱交換された循環液を外部放熱器に循環供給する循環ポンプと、補給用の循環液を貯溜するリザーブタンクと、これらを収容する縦長箱体状の外装体とを備え、この外装体の前面に着脱可能な外装パネル、即ち前パネルを備えている。そして、この前パネル近くの底板にリザーブタンクを配置することにより、前パネルを外してリザーブタンクを容易に取り出せるようにしてある。これによりリザーブタンク内の循環液の量確認や循環液の補充をし易いようにしている。
【０００３】
【発明が解決しようとする課題】
ところで、前述した従来構成の温水ボイラは、図４に示すように、前パネル５１を天板５２の側面及び底板５３の側面にねじ固定しており、底板５３の側面に取り付けたねじを外す際、ねじ固定位置が床面５４に近いためドライバ等の工具が使いづらいという問題があった。このため前パネル５１の着脱作業に時間がかかり、リザーブタンク５５の点検作業を難しくしていた。
【０００４】
本発明は上述のような従来の事情に鑑みなされものであり、着脱可能な外装パネルを備えた温水ボイラ等の外装体の外装構造において、前記外装パネルの着脱作業を容易し、サービス性の向上を図ることを目的とする。
【０００５】
【課題を解決するための手段】
上記目的を達成するために、請求項１記載の発明は、底板を有する箱状の外装体の一側面を開口部とし、この開口部を覆うように着脱可能に設けられた外装パネルを備えた外装構造において、前記底板上に外装パネル取付用の固定金具を設け、この固定金具は底板に固定される下固定部と、前記外装体の側板に掛止される掛止手段と、上部に外装パネルを固定するためのパネル取付部とを備えていることを特徴とする。
【０００６】
請求項２に記載の発明は、請求項１に記載の外装構造において、前記固定金具の掛止手段は左右両端に突出する突起片を有してこの突起片が前記外装体の側板に設けられた角孔に挿入され、前記固定金具の下固定部はねじ孔を有して前記底板上に設けられたねじ孔に固定されることを特徴とする。
【０００７】
請求項３に記載の発明は、熱交換器、バーナ、リザーブタンク等を内蔵し、底板を有する箱状の外装体の一側面を開口部とし、この開口部を覆うように着脱可能に設けられた外装パネルを備えた温水ボイラにおいて、前記底板上に外装パネル取付用の固定金具を設け、この固定金具は底板に固定される下固定部と、前記外装体の側板に掛止される掛止手段と、上部に外装パネルを固定するためのパネル取付部とを備えていることを特徴とする。
【０００８】
請求項４に記載の発明は、請求項３に記載の温水ボイラにおいて、前記固定金具の掛止手段は左右両端に突出する突起片を有してこの突起片が前記外装体の側板に設けられた角孔に挿入され、前記固定金具の下固定部はねじ孔を有して前記底板上に設けられたねじ孔に固定されることを特徴とする。
【０００９】
【発明の実施の形態】
以下、本発明の一実施形態を図面に基づいて説明する。図１は本発明の一実施形態における温水ボイラの斜視図、図２は図１の一側板を外して示した温水ボイラの側面図である。
【００１０】
図１において、１は縦長箱体状に形成された温水ボイラの外装体であり、この外装体１は、底板２、前パネル（外装パネル）３、側板４Ａ、４Ｂ、後板５及び天板６から構成され、天板６の外部には排気トップ２１とプレッシャーキャップカバー２２とが設けられている。そして、前記前パネル３は、外装体１の前面に４本の取付ねじ３３、３３・・にて着脱可能に固定されおり、この前パネル３を取り外すことにより、前記外装体１の前面が開放され開口部１５をなす。
【００１１】
図２において、底板２の一側部（図で左側）に設置された支持台８上には熱交換器としての缶体７が載置固定され、支持台８の下部空間には循環ポンプ９が配設されている。循環ポンプ９には、缶体７で熱交換された循環液が通る吸込管１０及び循環ポンプ９で昇圧した液が通る吐出管１１がそれぞれ連結されている。一方、底板２の他側部（図で右側）には、補給用循環液を貯溜するリザーブタンク１２が載置され、前記缶体７を加熱するバーナ１３、このバーナ１３に燃焼空気を供給する送風機１４、液体燃料を供給する燃料ポンプ（図示せず）、及びバーナ１３や循環ポンプ９等を制御するコントローラ（図示せず）を内蔵したコントロールケース１６等が配設されている。
【００１２】
図３は前パネルを外した状態を示す温水ボイラの前面下部の斜視図である。
【００１３】
図３において、前記リザーブタンク１２の前方には前パネル３を取り付けるための固定金具２４が設けられており、この固定金具２４は金属製板の下部を直角に折曲形成し、その折曲片２５の中央にはねじ孔を有する下固定部２６が形成されている。固定金具２４の上部には左右に突出する掛止手段としての突起片２７ａ、２７ｂと、ねじ孔を有する２つのパネル取付部２８ａ、２８ｂとが形成され、左突起片２７ａから右突起片２７ｂまでの寸法が前面開口部１５より少し長くなっている。
【００１４】
一方、底板２上の一端中央部にはねじ孔が形成され、両側板４Ａ、４Ｂの一端にはそれぞれ角孔３１ａ、３１ｂが形成されている。前記固定金具２４の両突起片２７ａ、２７ｂを角孔３１ａ、３１ｂに挿入し、下固定部２６を取付ねじ３２にて底板２のねじ孔に固定することにより、両突起片２７ａ、２７ｂが角孔３１ａ、３１ｂに掛止され折曲片２５が底板２上に当接して密着し、固定金具２４が底板２上にしっかり固定される。
【００１５】
その後、前パネル３は、パネル取付部２８ａ、２８ｂのねじ孔と、天板６側面のねじ孔とに取付ねじ３３、３３・・にて固定されることにより固定される。
【００１６】
なお、左右の突起片２７ａ、２７ｂを角孔３１ａ、３１ｂに挿入する場合、例えば、左突起片２７ａを左の角孔３１ａに挿入しながら左に寄せ、次に固定金具２４を右にずらしながら右突起片２７ｂを右の角孔３１ｂに挿入することにより両突起片２７ａ、２７ｂが角孔３１ａ、３１ｂに容易に掛止できる。
【００１７】
このように、前面開口部１５の周縁にパネル取付部２８ａ、２８ｂを有する固定金具２４を取り付けることにより、パネル取付部２８ａ、２８ｂの位置を底板２の上方に移動できるため、前パネル３の取付を容易にすることができる。
【００１８】
また、固定金具２４は左右の側板４Ａ、４Ｂに設けた２ヵ所の角孔３１ａ、３１ｂに挿入され、かつ、下固定部２６は下向きにねじ固定されるため、固定金具２４は前方からの作業で容易に着脱することができる。
【００１９】
以上、一実施形態に基づいて本発明を実施したが、本発明はこれに限定されるものではない。
【００２０】
本実施形態では前パネル３を着脱可能に取り付けているが、他の側板４Ａ、４Ｂや後板５を着脱可能に設け、固定金具２４を介して外装体１に取り付けるようにしても良い。
【００２１】
【発明の効果】
以上説明したように、着脱可能に設けられた外装パネルを備えた外装体において、前記外装パネルの取り付けられる開口部周縁の底板に外装パネル固定用の固定金具を設け、この固定金具の上部にパネル取付部を設けたことにより、外装パネルの下部固定部の位置が上方に移動するので、高い位置でドライバ等の工具を使用することができ、作業性を良くすることができる。
【００２２】
これにより、リザーブタンクや外装パネル付近に配設した部品の点検修理作業を容易にし作業時間を短縮することができる。
【図面の簡単な説明】
【図１】本発明の一実施形態における温水ボイラの斜視図である。
【図２】図１の側板を外して示した温水ボイラの側面図である。
【図３】図１の前パネルを外した状態を示す温水ボイラの一部斜視図である。
【図４】従来の温水ボイラの前パネルを外した状態を示す説明図である。
【符号の説明】
１　外装体
２　底板
３　前パネル（外装パネル）
４Ａ、４Ｂ　側板
７　缶体（熱交換器）
９　循環ポンプ
１２　リザーブタンク
１３　バーナ
１５　開口部
２４　固定金具
２５　折曲片
２６　下固定部
２７ａ、２７ｂ　突起片
２８ａ、２８ｂ　パネル取付部
３１ａ、３１ｂ　角孔
３２、３３　取付ねじ
【図１】
2004069243.tif 000003
【図２】
2004069243.tif 000004
【図３】
2004069243.tif 000005
【図４】
2004069243.tif 000006